(57)【要約】エレベータ装置においては、かご室壁の平面形状を５個以上の角を有する多角形とすることにより、昇降路壁とかご室壁との間に設置スペースが設けられている。設置スペースには、例えば駆動装置を制御する主制御盤など、少なくとも１個の昇降路機器が設置されている。
2003091141.tif 000002
【特許請求の範囲】
【請求項１】
昇降路壁を有する昇降路、
かご床と、上記かご床上に配置されかご出入口が設けられている筒状のかご室壁と、上記かご室壁上に配置されている天井とを有し、上記昇降路内を昇降されるかご室、及び
上記昇降路内に配置されている複数の昇降路機器
を備え、上記かご室壁の平面形状を５個以上の角を有する多角形とすることにより、上記昇降路壁と上記かご室壁との間に設置スペースが設けられており、少なくとも１個の上記昇降路機器が上記設置スペースに設置されているエレベータ装置。
【請求項２】
上記かご室壁の形状は、断面四角形の筒における少なくとも１つのコーナー部を面取りして傾斜面を形成した形状であり、上記設置スペースは、上記傾斜面と上記昇降路壁との間に設けられている請求項１記載のエレベータ装置。
【請求項３】
上記かご室壁には、上記設置スペースに臨む点検窓と、上記点検窓を開閉するカバーとが設けられている請求項１記載のエレベータ装置。
【請求項４】
上記カバーの開閉を検出するカバースイッチをさらに備え、上記カバーが開いているときには上記かご室の昇降が阻止される請求項３記載のエレベータ装置。
【請求項５】
上記昇降路内の上部に配置され、上記かご室を昇降させる駆動装置をさらに備え、上記昇降路機器は、上記駆動装置を制御する制御盤を含んでおり、上記制御盤は、上記かご室が最上階に位置するときに上記かご室壁に対向する位置に配置されている請求項１記載のエレベータ装置。
【発明の詳細な説明】
技術分野
この発明は、例えば制御盤等の機器が昇降路内に配置されているエレベータ装置に関するものである。
背景技術
従来の機械室レスエレベータでは、駆動装置や制御盤が例えば昇降路壁とかごとの間に配置されている。また、例えば特開平１０−１３９３２１号公報に示された機械室レスエレベータでは、薄形の駆動装置が昇降路内の上部に配置されている。
しかし、上記のような従来の機械室レスエレベータでは、種々の機器を昇降路内に設置する必要があるため、昇降路の平面積やオーバーヘッド寸法が大きくなっていた。従って、昇降路をさらにコンパクトに構成することが求められている。
発明の開示
この発明は、上記のような課題を解決するためになされたものであり、昇降路をコンパクトにすることができるエレベータ装置を得ることを目的とする。
この発明によるエレベータ装置は、昇降路壁を有する昇降路、かご床と、かご床上に配置されかご出入口が設けられている筒状のかご室壁と、かご室壁上に配置されている天井とを有し、昇降路内を昇降されるかご室、及び昇降路内に配置されている複数の昇降路機器を備え、かご室壁の平面形状を５個以上の角を有する多角形とすることにより、昇降路壁とかご室壁との間に設置スペースが設けられており、少なくとも１個の昇降路機器が設置スペースに設置されているものである。
発明を実施するための最良の形態
以下、この発明の好適な実施の形態について図面を参照して説明する。
実施の形態１．
図１はこの発明の実施の形態１によるエレベータ装置を示す正面図、図２は図１のエレベータ装置の要部を示す平面図である。
図において、昇降路１内には、一対のかごガイドレール２と一対の釣合重りガイドレール３とが設置されている。かご４は、かごガイドレール２に案内されて昇降路１内を昇降される。かご４は、かご枠５と、かご枠５に支持されたかご室６とを有している。かご枠５は、一対の縦枠７と、縦枠７の下端部間に固定され、かご室６を支持する下枠８と、縦枠７の上端部間に固定されている上枠９とを有している。
下枠８には、第１及び第２の主索接続部１１，１２が設けられている。第１及び第２の主索接続部１１，１２は、かご４の重心に対して対称に配置されている。
釣合重り１３は、釣合重りガイドレール３に案内されて昇降路１内を昇降される。また、釣合重り１３は、乗場側から見てかご４の後方に配置されている。
昇降路１内の上部には、取付枠１４（図２では省略）が配置されている。取付枠１４は、かごガイドレール２及び釣合重りガイドレール３の上端部に固定されている。取付枠１４には、かご４及び釣合重り１３を昇降させる駆動装置（巻上機）１５が搭載されている。
駆動装置１５は、駆動装置本体１６と、駆動装置本体１６により回転される駆動シーブ１７とを有している。さらに、駆動装置１５は、駆動シーブ１７の回転軸が垂直に延びるように水平に配置されている。駆動装置本体１６は、軸方向寸法が径よりも小さい薄形モータを有している。
取付枠１４には、第１及び第２のかご側返し車１８，１９、釣合重り側返し車２０、及び方向転換プーリ２１が搭載されている。第１のかご側返し車１８は、その回転軸がかご４の奥行き方向（図２の上下方向）に沿って水平に延びるように、第１の主索接続部１１の上方に配置されている。第２のかご側返し車１９は、その回転軸がかご４の奥行き方向（図３の上下方向）に沿って水平に延びるように、第２の主索接続部１２の上方に配置されている。
釣合重り側返し車２０は、その回転軸が水平に延びるように、釣合重り１３の上方に配置されている。また、駆動装置１５、第１及び第２のかご側返し車１８，１９、釣合重り側返し車２０、及び方向転換プーリ２１は、垂直投影面内でかご４と重なるように、かご４の上方に配置されている。
駆動シーブ１７には、かご４及び釣合重り１３を昇降路１内に吊り下げる主索群２２が巻き掛けられている。主索群２２は、複数本の第１の主索２３と、複数本の第２の主索２４とを有している。ここでは、第１の主索２３の本数と第２の主索２４の本数とが同じである。
また、第１及び第２の主索２３，２４としては、例えば樹脂被覆を有する柔軟性の高い複合材料ロープが使用される。これにより、駆動シーブ１７、第１及び第２のかご側返し車１８，１９、釣合重り側返し車２０、及び方向転換プーリ２１の径を小さくすることができる。
第１の主索２３は、第１の主索接続部１１に接続された第１の端部と、釣合重り１３の上部に接続された第２の端部とを有している。第２の主索２４は、第２の主索接続部１２に接続された第１の端部と、釣合重り１３の上部に接続された第２の端部とを有している。
第１の主索２３は、第１の端部から、第１のかご側返し車１８、駆動シーブ１７、及び釣合重り側返し車２０の順に巻き掛けられ、第２の端部に至っている。第２の主索２４は、第１の端部から、第２のかご側返し車１９、方向転換プーリ２１、駆動シーブ１７、及び釣合重り側返し車２０の順に巻き掛けられ、第２の端部に至っている。
即ち、釣合重り１３に接続された第１の主索２３と第２の主索２４は、駆動シーブ２４で２方向に分岐されてかご４に接続されている。
方向転換プーリ２１は、略水平に配置されているが、第２の主索２４の進入角度ができるだけ小さくなるように、方向転換プーリ２１の回転軸は、垂直に対して若干傾けられている。
また、昇降路１は、互いに対向する第１及び第２の昇降路壁１ａ，１ｂと、乗場出入口２５が設けられている第３の昇降路壁１ｃと、第３の昇降路壁１ｃ及びかご４の背面に対向する第４の昇降路壁１ｄとを有している。
かご室６は、かご床（図示せず）と、かご床上に配置されかご出入口２６が設けられているかご室壁２７と、かご室壁２７上に配置されている天井２８とを有している。
かご室壁２７の平面形状を６角形とすることにより、昇降路壁１ａ，１ｂ，１ｄとかご室壁２７との間には第１及び第２の設置スペース２９，３０が設けられている。具体的には、かご室壁２７の形状は、断面四角形の筒における相隣る２つのコーナー部を面取りして傾斜面２７ａ，２７ｂを形成した形状である。傾斜面２７ａ，２７ｂは、昇降路壁１ａ，１ｂに対して傾斜している。そして、設置スペース２９，３０は、傾斜面２７ａ，２７ｂと昇降路壁１ａ，１ｂ，１ｄとの間に設けられている。
第１の設置スペース２９には、昇降路機器としての主制御盤３１が設置されている。第２の設置スペース３０には、昇降路機器としての副制御盤３２が設置されている。主制御盤３１及び副制御盤３２は、駆動装置１５及びその他の機器を制御する。
また、主制御盤３１及び副制御盤３２は、かご室６が最上階に位置するときにかご室壁２７の傾斜面２７ａ，２７ｂに対向する位置に配置されている。さらに、主制御盤３１及び副制御盤３２は、昇降路壁１ｄに対して釣合重りガイドレール３を支持している複数のレールブラケット３３により支持されている。
傾斜面２７ａ，２７ｂには、設置スペース２９，３０に臨む点検窓３４ａ，３４ｂと、かご室６内から点検窓３４ａ，３４ｂを開閉するカバー３５ａ，３５ｂとが設けられている。
また、かご室壁２７には、カバー３５ａ，３５ｂの開閉を検出するカバースイッチ３６ａ，３６ｂが設けられている。そして、カバー３５ａ，３５ｂが開いているときには、かご４の昇降が阻止される。
このようなエレベータ装置では、かご室壁２７の平面形状を６角形とすることにより、昇降路壁１ａ，１ｂ，１ｄとかご室壁２７との間に第１及び第２の設置スペース２９，３０を確保し、また第１及び第２の設置スペース２９，３０に主制御盤３１及び副制御盤３２を配置したので、昇降路１をコンパクトにすることができる。
また、第１及び第２の設置スペース２９，３０は、かご４の昇降行程全体に渡って確保されるので、主制御盤３１及び副制御盤３２を大きくすることができるとともに、あらゆる昇降路機器を設置することができ、小容量から大容量までのエレベータ装置について、省スペース化を図ることができる。
さらに、かご室壁２７の形状は、断面四角形の筒におけるコーナー部を面取りした形状であるため、意匠性の低下を防止することができるとともに、昇降路１内のスペースをより有効に利用することができる。
さらにまた、かご室壁２７には、設置スペース２９，３０に臨む点検窓３４ａ，３４ｂと、点検窓３４ａ，３４ｂを開閉するカバー３５ａ，３５ｂとが設けられているので、設置スペース２９，３０に設置され機器の保守点検作業をかご室６内から行うことができ、作業性を向上させることができる。
また、カバー３５ａ，３５ｂの開閉を検出するカバースイッチ３６ａ，３６ｂを用い、カバー３５ａ，３５ｂが開いているときにはかご４の昇降が阻止されるようにしたので、保守点検時の安全性を向上させることができる。
さらに、駆動装置１５を昇降路１内の上部に配置し、かつ駆動装置１５を制御する主制御盤３１を最上階に配置したので、駆動装置１５と主制御盤３１との間の距離を短くすることができ、これにより制御信号にノイズが入るのを防止し、信頼性を向上させることができる。
実施の形態２．
次に、図３はこの発明の実施の形態２によるエレベータ装置の要部を示す平面図である。この例では、かご室壁２７の形状は、断面四角形の筒における４つのコーナー部を面取りして傾斜面２７ａ〜２７ｄを形成した形状、即ち断面八角形の筒状体である。そして、傾斜面２７ａと昇降路壁１ａ，１ｄとの間に、第１の設置スペース２９が設けられている。また、傾斜面２７ｃと昇降路壁１ｂ，１ｃとの間に、第３の設置スペース４１が設けられている。
傾斜面２７ａ，２７ｃには、それぞれ点検窓３４ａ，３４ｃ及びカバー３５ａ，３５ｃが設けられている。第１の設置スペース２９には、主制御盤３１が設置されている。第３の設置スペース４１には、副制御盤３２が設置されている。副制御盤３２は、昇降路壁１ｂに固定されている。
かご室壁２７の側面には、副制御盤３２をかご室６内から保守点検するための点検窓３４ｅ、及び点検窓３４ｅをかご室６内から開閉するカバー３５ｅが設けられている。
かご４の下枠８には、第１及び第２の主索接続部１１，１２が設けられている。具体的には、第１及び第２の主索接続部１１，１２は、傾斜面２７ｂ，２７ｄの外側に配置されている。また、第１及び第２の主索接続部１１，１２は、かご４の重心に対して対称に配置されている。
傾斜面２７ｂ，２７ｄには、主索接続部１１，１２に臨む点検窓３４ｂ，３４ｄと、かご室６内から点検窓３４ｂ，３４ｄを開閉するカバー３５ｂ，３５ｄとが設けられている。
第１の主索２３は、第１の端部から、第１のかご側返し車１８、方向転換プーリ２１、駆動シーブ１７、及び釣合重り側返し車２０の順に巻き掛けられ、第２の端部に至っている。第２の主索２４は、第１の端部から、第２のかご側返し車１９、駆動シーブ１７、及び釣合重り側返し車２０の順に巻き掛けられ、第２の端部に至っている。
このようなエレベータ装置では、かご室壁２７の平面形状を８角形とすることにより、昇降路壁１ａ〜１ｄとかご室壁２７との間に第１及び第３の設置スペース２９，４１を確保し、また第１及び第３の設置スペース２９，４１に主制御盤３１及び副制御盤３２を配置したので、昇降路１をコンパクトにすることができる。
また、かご室壁２７の形状は、断面四角形の筒における４つのコーナー部を面取りした形状であるため、意匠性を高めることができるとともに、昇降路１内のスペースをより有効に利用することができる。
さらに、かご室６の対角に位置する傾斜面２７ｂ，２７ｄの外側に主策接続部１１，１２を配置したので、昇降路１内のスペースをさらに有効に利用することができる。
さらにまた、主索接続部１１，１２に臨む点検窓３４ｂ，３４ｄを傾斜面２７ｂ，２７ｄに設けたので、主索接続部１１，１２の保守点検もかご室６内から行うことができ、作業性及び安全性を向上させることができる。
実施の形態３．
次に、図４はこの発明の実施の形態３によるエレベータ装置の要部を示す平面図である。実施の形態１、２では、乗場側から見てかご４の後方に釣合重り１３が配置されているが、実施の形態３では、釣合重り１３は、かご室６の一方の側面に対向するようにかご４の側方に配置されている。かご室壁２７の形状は、断面四角形の筒における３つのコーナー部を面取りして傾斜面２７ａ，２７ｂ，２７ｄを形成した形状、即ち断面七角形の筒状体である。そして、傾斜面２７ａと昇降路壁１ａ，１ｄとの間に、第１の設置スペース２９が設けられている。他の構成は、実施の形態１又は２と同様である。
このように、釣合重り１３がかご４の側方に配置されるエレベータ装置であっても、かご室壁２７の平面形状を５個以上の角を有する多角形として設置スペース２９を確保し、その設置スペース２９に主制御盤３１を設置したので、昇降路１をコンパクトにすることができる。
実施の形態４．
次に、図５はこの発明の実施の形態４によるエレベータ装置の平面レイアウトを示す説明図である。実施の形態１〜３では、１台のエレベータ装置についてのみ示したが、図５に示すように、複数台のエレベータ装置が並べて設置される場合にもこの発明は適用できる。この場合、２台のかご室２７の間に設置スペース４２を配置することにより、昇降路１内を有効に利用して、より広い設置スペース４２を確保することができる。
実施の形態５．
次に、図６はこの発明の実施の形態５によるエレベータ装置の平面レイアウトを示す説明図である。実施の形態１〜４では、かご室壁２７の形状を、断面四角形の筒における少なくとも１つのコーナー部を面取りして傾斜面２７ａ〜２７ｄを形成した形状としたが、図６に示すように、四角形の辺の一部に凹部２７ｅを設けた断面形状としてもよい。これによっても、昇降路壁１ａ，１ｄと凹部２７ｅとの間に設置スペース４３を確保することができる。
実施の形態６．
次に、図７はこの発明の実施の形態６によるエレベータ装置の平面レイアウトを示す説明図である。実施の形態１〜４では、かご室壁２７に平面状の傾斜面２７ａ〜２７ｄを設けたが、例えば図７に示すように、設置スペース４４に対向するかご室壁２７の側面２７ｆを曲面としてもよい。
なお、かご室壁の平面形状は、９個以上の角を有する多角形としてもよい。言い換えれば、かご室壁は、５つ以上の面を持つ筒状の多面体であればよい。
また、上記の例では、昇降路機器として主制御盤３１及び副制御盤３２を示したが、他の昇降路機器を設置スペースに設置してもよい。他の昇降路機器としては、例えばトランス、バッテリ（充電池）、及び遠隔管理装置（監視盤）等が挙げられる。
ここで、遠隔管理装置は、遠隔に位置する管理室へ遠隔管理信号を出力するための監視盤である。また、遠隔管理装置は、オプションで設置されることが多いため、設置スペースの確保が難しいが、本発明によれば、設置スペースがかごの昇降行程のほぼ全体に渡って存在するため、容易に設置することができる。
さらに、昇降路機器として、かごを昇降させる駆動装置を設置スペースに設置してもよい。
さらにまた、上記の例では、１：１ローピング方式のエレベータ装置を示したが、ローピング方式は特に限定されるものではなく、例えば２：１ローピング方式のエレベータ装置にもこの発明は適用できる。
【図面の簡単な説明】
図１はこの発明の実施の形態１によるエレベータ装置を示す正面図、
図２は図１のエレベータ装置の要部を示す平面図、
図３はこの発明の実施の形態２によるエレベータ装置の要部を示す平面図、
図４はこの発明の実施の形態３によるエレベータ装置の要部を示す平面図
図５はこの発明の実施の形態４によるエレベータ装置の平面レイアウトを示す説明図、
図６はこの発明の実施の形態５によるエレベータ装置の平面レイアウトを示す説明図、
図７はこの発明の実施の形態６によるエレベータ装置の平面レイアウトを示す説明図である。
【図１】
2003091141.tif 000003
【図２】
2003091141.tif 000004
【図３】
2003091141.tif 000005
【図４】
2003091141.tif 000006
【図５】
2003091141.tif 000007
【図６】
2003091141.tif 000008
【図７】
2003091141.tif 000009
【国際調査報告】
2003091141.tif 000010
2003091141.tif 000011
2003091141.tif 000012
2003091141.tif 000013